(57)【要約】【課題】  ロック機能を有すフック装置により、携帯用電動工具の盗難を防止する。【解決手段】  携帯用電動工具に設けられたフック装置において、当該フック装置が有す二つの端部の内、一端を携帯用電動工具の本体に所定量のみ回動及びスライド可能に常時連結した連結端部とし、他端を携帯用電動工具の本体に連結した位置と離間した位置との間で移動可能な可動端部とする。可動端部を携帯用電動工具の本体に連結した状態において、携帯用電動工具の本体から離間した位置への移動を阻止するように、連結状態でロックすることを可能とする。【選択図】図２
2007044787.tif 000002
【特許請求の範囲】
【請求項１】
フック装置を有す携帯用電動工具であって、該フック装置は、二つの端部を有し、一端は前記携帯用電動工具の本体に常時連結されており、他端は、前記携帯用電動工具の本体と離間した第一の位置と、前記携帯用電動工具の本体に連結した第二の位置との間で移動可能な可動端部であり、前記可動端部が前記第二の位置にあるとき、前記第一の位置への移動を阻止することが可能なロック手段がさらに設けられていることを特徴とするフック装置付き携帯用電動工具。
【請求項２】
前記携帯用電動工具が、充電式工具である請求項１に記載のフック装置付き携帯用電動工具。
【発明の詳細な説明】
【技術分野】
【０００１】
本発明は、モータにより駆動されるレシプロソーや丸鋸等の携帯用電動工具に設けられ、非使用時に、携帯用電動工具を足場の骨組みや脚立等に引掛け保持するためのフック装置に関する。
【背景技術】
【０００２】
携帯用電動工具は、建築現場等において、非使用時には地面や作業台に置かれるのが一般的である。地面に置くことは、それによって作業の障害となったり、建築資材が当たる等による破損の虞が生じる。また携帯用電動工具を置くことのできる作業台が常にあるとは限らない。このような問題を解決するため、携帯用電動工具に足場の骨組みや脚立等に引掛けて保持することができるフックを設けたものが提供されている。
【０００３】
一方、建築作業では、一人の作業者が目的に応じて種々の工具を使用するため、ある工具を使用し、再びその工具を使用するまでに長い時間が空くことがある。また、一般的に建築作業は長期間に渡るため、作業者はその日の作業が終了しても携帯用電動工具を持ち帰らないことがある。これらのような場合、携帯用電動工具は長時間に渡って建築現場に放置された状態となる。
【０００４】
【特許文献１】米国特許第５，８５０，６９８号公報
【発明の開示】
【発明が解決しようとする課題】
【０００５】
携帯用電動工具は建築作業の効率を上げるためには必須の道具であるが、手工具に比して高価なものである。このため、長時間に渡って建築現場等に携帯用電動工具を放置してその場を離れると、盗難に遭うという問題が生じていた。
【０００６】
従来の携帯用電動工具に設けられたフック装置においては、非使用時に作業者の邪魔にならない場所に携帯用電動工具を保持するという問題は解決されるものの、その状態がロックされるものではなく、その工具の所有者以外の者であっても容易に当該携帯用電動工具を取外し、持ち運ぶことができるものであった。
このため、長時間に渡って放置した際等に、盗難に遭うという問題は依然として生じていた。
【０００７】
そこで、請求項１に記載の発明は、携帯用電動工具をそれに設けられたフック装置によって引掛け対象物に引掛け、その状態でロックすることを可能にし、盗難を防止することができる携帯用電動工具を提供することを目的としたものである。
【課題を解決するための手段】
【０００８】
上記目的を達成するために、請求項１に記載の発明は、フック装置の二つの端部のうち、一端は常に携帯用電動工具本体に連結され、他端は携帯用電動工具本体に連結および離間する位置の間で可動とし、連結した状態でロックすることが可能な構成としたことを特徴とするものである。ここで、本発明における「ロック」とは、いわゆる鍵を掛けた状態のことを指し、基本的には、ロックした者の操作によらなければその解除をすることができない状態にすることを意味する。
請求項２に記載の発明は、請求項１の目的を充電式工具に適用したものである。
【発明の効果】
【０００９】
請求項１に記載の発明によれば、携帯用電動工具のフック装置を引掛け対象物に引掛けた後、その可動端部を携帯用電動工具本体に連結し、その状態でロックすることができる。この状態は、フック装置と携帯用電動工具本体とによって形成される環の中に、引掛け対象部材が位置することを意味する。従って、ロックを解除しなければ携帯用電動工具本体を引掛け対象部材から離間させることができず、盗難を防止することが可能となる。
請求項２に記載の発明によれば、請求項１の発明を、携帯用電動工具の中でも、携帯性に優れた充電式の工具に適用することで、より盗難防止の効果を図ることが可能となる。
【発明を実施するための最良の形態】
【００１０】
以下、本発明の実施の形態を図面に基づいて説明する。
図１から図４は、本発明の携帯用電動工具の一例であるレシプロソーの側面図であり、本発明にかかるフック装置の、それぞれ異なる状態を示したものである。説明にあたり、本発明におけるレシプロソー１の内部機構については、公知の技術から何ら変更を要すものではないため、説明は省略する。
レシプロソー１の外形主要部は、図示省略のモータを収納するモータハウジング２を中心として、その前方（図１の右方）に、モータの回転を減速するギヤ及びモータの回転運動を往復運動に変換するクランク機構を収納したギヤハウジング３を連結し、また、モータハウジング２の後方（図１の左方）には、使用者が作業時に握る操作部としてのハンドル４を連結して成る。ハンドル４は上部連結部４ａと下部連結部４ｂによりモータハウジング２に連結され、略Ｄ字状を形成している。そしてハンドル４の下部にはモータの駆動源であるバッテリー５が着脱可能に取り付けられ、レシプロソー１の全体外形を形成している。
【００１１】
フック装置６の主要部は、モータハウジング２の側面上方に固定された取付基部７と、該取付基部７に対し、その軸線方向（図１の左右方向）周りに任意の一定角度相対回動可能、且つ、軸線方向に任意の一定幅相対移動可能に常時連結された連結端部６ｂ、フック本体部６ａ、および取付基部７に対して離間する位置と連結する位置との間で移動可能な可動端部６ｃとから構成される。連結端部６ｂとフック本体部６ａは金属等の強度のある棒状部材を折り曲げることで連続形成している。フック本体部６ａの連結端部６ｂと反対側の端部には、可動端部６ｃの一端が、ピン等から成る回動支点６ｄにより連結されている。可動端部６ｃの他端は、取付基部７の連結孔７ａに挿入可能なように本体部６ａとの連結部から曲折形成されている。
ロック手段８は公知のダイヤルナンバー式施錠機構であり、基体部と操作部から構成される。基体部はフック装置６の取付基部７が兼用しており、該基体部に操作部としてのダイヤル１１を取り付けることで構成している。
【００１２】
以上の如く構成されたレシプロソー１において、非使用時にはフック装置６を、まず、図２に示す開放状態、すなわち可動端部６ｃを取付基部７から離間した状態とし、その開口部９から図示省略の引掛け対象部材、例えば、骨組みされた足場の鉄骨等に引掛け、レシプロソー１をその場に保持することができる。この状態が、通常のフックとして使用した場合であり、再び作業をする際には、開口部９から引掛け対象部材を抜くことで容易に取り外すことができる。このため、再びレシプロソー１を使用するまでの時間が短い場合には、このような使用が適している。なお、図２の状態における可動端部６ｃの位置、すなわち、取付基部７から離間した位置が請求項１に記載の第一の位置に対応する。
【００１３】
次に、本発明の特徴であるロック使用について説明する。レシプロソー１を用いた作業が一旦終了し、再び使用するまでが長時間である場合、特に作業者が作業現場から離れる場合には、前述の引掛け操作の後、可動端部６ｃを回動支点６ｄを中心に回動操作し、可動端部６ｃが取付基部７の連結孔７ａに対抗する位置まで回動させる。この状態を表したのが図３である。その後、フック装置６全体を図３の矢印Ａの方向にスライドさせ、可動端部６ｃを取付基部７内に挿入する。これにより、図４に示す如く、可動端部６ｃと取付基部７が連結状態となり、フックの開口部９が完全に閉塞された状態となる。すなわち、フック装置６とレシプロソー１とによって環状部１０が形成され、その環状部１０の中に引掛け対象部材が位置した状態となる。ただし、この状態にするのみでは連結状態がロックされてはおらず、可動端部６ｃを取付基部７から離間する方向（図３の矢印Ａとは逆方向）に向けてスライドさせることが可能である。なお、図４の状態における可動端部６ｃの位置、すなわち、取付基部７に連結した位置が請求項１に記載の第二の位置に対応する。
【００１４】
連結状態でロックするには、ロック手段８として設けられたダイヤルナンバー式施錠機構を用いる。これは、４つのダイヤル１１により決定される４桁の番号が、予め決められた解除番号のときに可動端部６ｃを取付基部７内に挿入し、フック装置６全体を矢印Ａの方向にスライドさせた挿入状態において、４桁の数字を解除番号以外の数字に変更することで、可動端部６ｃが取付基部７内から抜き取ることができなくなる一般的なものである。このようにロック状態としておけば、他人がレシプロソー１を引掛け対象部材から取り外すことができなくなり、盗難を防止することが可能となる。なお、当該ロック状態が請求項１に記載の、可動端部６ｃを第二の位置から第一の位置への移動を阻止した状態に対応する。
【００１５】
そして、再びレシプロソー１を使用する際は、ダイヤルナンバー式施錠機構の番号を解除番号にすることでロック状態は解除され、可動端部６ｃを取付基部７から離間する方向（図３の矢印Ａとは逆方向）へとスライドさせることが可能となる。スライドさせることで図３の状態、すなわち、可動端部６cが取付基部７とは非連結状態となり、回動支点６ｄを中心に回動可能となるため、環状部１０を切開し、再び図２に示す如く、開口部９を形成することができる。これによって、レシプロソー１を引掛け対象部材から取り外すことが可能となる。
【００１６】
また、フック装置６は連結端部６ｂが取付基部７に対してその軸線方向（図３の左右方向）周りに回動可能に取り付けられているため、レシプロソー１の本体に対する引掛け位置（レシプロソー１の本体に対するフック開口部の位置）を、設定範囲内において任意に選ぶことができる。さらに、本回動構造により、レシプロソー１を使用中には、フック本体部６ａがモータハウジング２の側面に当接した状態、すなわち、図１に示す状態にすることでフック装置６が作業の邪魔にならない収納状態となる。
【００１７】
このように、上記形態のレシプロソー１によれば、非使用時において、レシプロソー１を容易に引掛け及び取外し操作ができるという従来のフック機能をそのまま具備しつつ、必要な際は、引掛け状態でロックすることが可能なため、盗難を防止することができる。  また、本実施例のレシプロソー１は充電式の所謂バッテリー工具であるため、電源コードを有さない構成である。本構成の特徴は、作業時の操作性が良好であるだけではなく、持ち運びが容易であるという携帯性の利点も有す。しかしながら、携帯性が良いという利点は裏を返せば盗難に遭い易いという欠点に繋がる。従って、このような充電式工具において本発明を適用することで、盗難防止の効果をより一層発揮することが可能となる。
【００１８】
なお、本実施例のフック装置においては、フック本体部と本体部に対して回動可能に取付けられた可動部とによる二部材から成る構成としたが、本構成に限られるものではなく、フック自体は単一の部材で構成し、その一端がレシプロソー本体に回動可能に常時連結され、その回動により、フック他端部がレシプロソー本体へ連結および離間する構成とすることも可能である。
また、本実施例ではロック手段として、ダイヤルナンバー式施錠機構を用いて説明したが、この形態に限定されるものではなく、一般的なシリンダー鍵（鍵本体に鍵穴が設けられ、別体としての操作鍵を鍵穴に挿入し、その操作鍵を回動させることでロックおよび解除を行う形態のもの）であっても盗難防止の目的達成には何ら差し支えない。この場合には、フック装置の取付基部に鍵本体および鍵穴を設ける構成とすればよいが、作業者が別途操作鍵を携帯する必要が生じる。このため、鍵本体に操作部が一体状に設けられた本実施例のダイヤルナンバー式施錠機構であれば、別途操作鍵を携帯する必要がないため利便性がよく、また、操作鍵を紛失するといった心配がないため好適である。
【図面の簡単な説明】
【００１９】
【図１】レシプロソーの側面図であり、フック収納状態を示した図である。
【図２】フックとレシプロソー本体が非連結状態であり、開口部が最大に形成された    状態を示した図である。
【図３】フックをレシプロソー本体に連結する直前の状態を示した図である。
【図４】フックとレシプロソー本体が連結状態であり、連結状態のロック状態および    非ロック状態の両方を示した図である。
【符号の説明】
【００２０】
１・・・レシプロソー
２・・・モータハウジング
３・・・ギヤハウジング
４・・・ハンドル
４ａ・・・上部連結部
４ｂ・・・下部連結部
５・・・バッテリー
６・・・フック装置
６ａ・・・フック本体部
６ｂ・・・連結端部
６ｃ・・・可動端部
６ｄ・・・回動支点
７・・・取付基部
７ａ・・・連結孔
８・・・ロック手段
９・・・開口部
１０・・・環状部
１１・・・ダイヤル
【図１】
2007044787.tif 000003
【図２】
2007044787.tif 000004
【図３】
2007044787.tif 000005
【図４】
2007044787.tif 000006